(57)【要約】【課題】  内蔵されるスイッチングデバイスの動作による、スイッチングデバイスの周辺で行われる放送受信に対する受信妨害を抑制する。【解決手段】  スイッチング信号に従って動作するＤ級アンプを備える放送受信装置１００Ａにおいて、制御ユニット１９０Ａが、位置検出ユニット１６０から送られた測位結果ＣＰＴに基づいて、放送受信装置１００Ａの現在位置を特定する。引き続き、制御ユニット１９０Ａが、特定された現在位置に基づいて記憶ユニット１７０内の受信周波数テーブル１７１を参照し、当該現在位置が含まれる地域、すなわち、放送受信装置１００Ａが在圏している地域において受信可能な放送周波数を読み取る。そして、制御ユニット１９０Ａが、読み取られた放送周波数に基づいて、当該受信可能な放送周波数に対応する放送の受信の妨害を抑制できるスイッチング周波数を決定する。【選択図】  図１
2012095169.tif 000002
【特許請求の範囲】
【請求項１】
指定されたスイッチング周波数で動作を行うスイッチングデバイスを備えるスイッチングデバイス内蔵装置であって、
前記スイッチングデバイス内蔵装置の位置を含む周辺領域における放送受信波の周波数情報を取得する取得手段と；
前記取得された周波数情報に基づいて、前記周辺領域での放送波の受信における受信妨害を抑制可能なスイッチング周波数を決定し、前記決定されたスイッチング周波数を前記スイッチングデバイスに対して指定する制御手段と；
を更に備えることを特徴とするスイッチングデバイス内蔵装置。
【請求項２】
前記周波数情報には、前記周辺領域において受信可能な放送波の周波数の情報である受信可能周波数情報が含まれ、
前記制御手段は、前記受信可能な放送波の受信における受信妨害を抑制可能なスイッチング周波数を決定する、
ことを特徴とする請求項１に記載のスイッチングデバイス内蔵装置。
【請求項３】
前記受信可能周波数情報を記憶する記憶手段を更に備え、
前記取得手段は、前記記憶手段から前記受信可能周波数情報を読み取ることにより、前記受信可能周波数情報を取得する、
ことを特徴とする請求項２に記載のスイッチングデバイス内蔵装置。
【請求項４】
前記周辺領域において受信可能な放送波のそれぞれの電界強度を検出する第１検出手段を更に備え、
前記制御手段は、前記第１検出手段による検出結果を考慮して、前記スイッチング周波数を決定する、
ことを特徴とする請求項２又は３に記載のスイッチングデバイス内蔵装置。
【請求項５】
前記周波数情報には、前記周辺領域において受信されていることが報告された放送波の周波数の情報である受信中周波数情報が含まれ、
前記制御手段は、前記周辺領域において受信されていることが報告された放送波の受信における受信妨害を抑制可能なスイッチング周波数を決定する、
ことを特徴とする請求項１〜４のいずれか一項に記載のスイッチングデバイス内蔵装置。
【請求項６】
前記周辺領域において受信されていることが報告された放送波のそれぞれの電界強度を検出する第２検出手段を更に備え、
前記制御手段は、前記第２検出手段による検出結果を考慮して、前記スイッチング周波数を決定する、
ことを特徴とする請求項５に記載のスイッチングデバイス内蔵装置。
【請求項７】
指定されたスイッチング周波数で動作を行うスイッチングデバイスを備えるスイッチングデバイス内蔵装置で使用される放送受信妨害抑制方法であって、
前記スイッチングデバイス内蔵装置の位置を含む周辺領域における放送受信波の周波数情報を取得する取得工程と；
前記取得された周波数情報に基づいて、前記周辺領域での放送波の受信における受信妨害を抑制可能なスイッチング周波数を決定し、前記決定されたスイッチング周波数を前記スイッチングデバイスに対して指定する制御工程と；
を備えることを特徴とする放送受信妨害抑制方法。
【請求項８】
請求項７に記載の放送受信妨害抑制方法を、演算手段に実行させる、ことを特徴とする放送受信妨害抑制プログラム。
【請求項９】
請求項８に記載の放送受信妨害抑制プログラムが、演算手段により読み取り可能に記録されている、ことを特徴とする記録媒体。
【発明の詳細な説明】
【技術分野】
【０００１】
本発明は、スイッチングデバイス内蔵装置、放送受信妨害抑制方法及び放送受信妨害抑制プログラム、並びに、当該放送受信妨害抑制プログラムが記録された記録媒体に関する。
【背景技術】
【０００２】
従来から、設定されたスイッチング周波数で動作するスイッチング電源等のスイッチングデバイスを備える装置が広く普及している。こうしたスイッチングデバイスは、一般に、スイッチング周波数及びその整数倍の周波数の電波を放射する。こうして放射される電波の周波数が放送周波数の近傍となる場合には、放送受信装置にとっては、スイッチングデバイスが放射する電波は、妨害ノイズ電波に他ならない。
【０００３】
このため、スイッチングデバイスを内蔵する放送受信装置による放送受信に際して、内蔵されているスイッチングデバイスによる妨害ノイズ電波の放射を抑制する技術が提案されている（特許文献１参照：以下、「従来例」と呼ぶ）。この従来例では、当該スイッチングデバイスのスイッチング動作を指定するスイッチング信号の周波数及びその整数倍の周波数が、当該放送受信装置により受信処理を行っている放送波の周波数の近傍とならないように制御するようになっている。
【先行技術文献】
【特許文献】
【０００４】
【特許文献１】特開２００８−１５４１４６号公報
【発明の概要】
【発明が解決しようとする課題】
【０００５】
上述した従来例の技術では、放送受信装置がスイッチングデバイスを内蔵する場合に、当該スイッチングデバイスが放射する電波による、当該放送受信装置が行っている受信処理への悪影響を抑制することはできる。しかしながら、放送受信装置の周囲に存在する別の放送受信装置が行っている受信処理に対しては、当該スイッチングデバイスの動作に起因する悪影響を及ぼす可能性があった。
【０００６】
このため、スイッチングデバイスの動作に起因する放送受信装置による受信処理への悪影響を、放送受信装置が当該スイッチングデバイスを内蔵するか否かにかかわらず、当該スイッチングデバイスの周辺で行われる受信処理に対して抑制することができる技術が待望されている。かかる要請に応えることが、本発明が解決すべき課題の一つとして挙げられる。
【０００７】
本発明は、上記の事情を鑑みてなされたものであり、内蔵するスイッチングデバイスの動作による、スイッチングデバイスの周辺で行われる放送受信に対する受信妨害を抑制することができるスイッチングデバイス内蔵装置及び放送受信妨害抑制方法を提供することを目的とする。
【課題を解決するための手段】
【０００８】
請求項１に記載の発明は、指定されたスイッチング周波数で動作を行うスイッチングデバイスを備えるスイッチングデバイス内蔵装置であって、前記スイッチングデバイス内蔵装置の位置を含む周辺領域における放送受信波の周波数情報を取得する取得手段と；前記取得された周波数情報に基づいて、前記周辺領域での放送波の受信における受信妨害を抑制可能なスイッチング周波数を決定し、前記決定されたスイッチング周波数を前記スイッチングデバイスに対して指定する制御手段と；を更に備えることを特徴とするスイッチングデバイス内蔵装置である。
【０００９】
請求項７に記載の発明は、指定されたスイッチング周波数で動作を行うスイッチングデバイスを備えるスイッチングデバイス内蔵装置で使用される放送受信妨害抑制方法であって、前記スイッチングデバイス内蔵装置の位置を含む周辺領域における放送受信波の周波数情報を取得する取得工程と；前記取得された周波数情報に基づいて、前記周辺領域での放送波の受信における受信妨害を抑制可能なスイッチング周波数を決定し、前記決定されたスイッチング周波数を前記スイッチングデバイスに対して指定する制御工程と；を備えることを特徴とする放送受信妨害抑制方法である。
【００１０】
請求項８に記載の発明は、請求項７に記載の放送受信妨害抑制方法を、演算手段に実行させる、ことを特徴とする放送受信妨害抑制プログラムである。
【００１１】
請求項９に記載の発明は、請求項８に記載の放送受信妨害抑制プログラムが、演算手段により読み取り可能に記録されている、ことを特徴とする記録媒体である。
【図面の簡単な説明】
【００１２】
【図１】本発明の第１実施形態に係る放送受信装置の構成を概略的に示すブロック図である。
【図２】図１の選局ユニットの構成を示すブロック図である。
【図３】図１の再生処理ユニットの構成を示すブロック図である。
【図４】図１の受信周波数テーブルの内容を説明するための図である。
【図５】領域分割の例を説明するための図である。
【図６】図１の装置におけるスイッチング周波数の決定処理を説明するためのフローチャートである。
【図７】本発明の第２実施形態に係る放送受信装置の構成を概略的に示すブロック図である。
【図８】図７の装置におけるスイッチング周波数の決定処理を説明するためのフローチャートである。
【発明を実施するための形態】
【００１３】
以下、本発明の実施形態を説明する。なお、以下の説明及び図面においては、同一又は同等の要素には同一の符号を付し、重複する説明を省略する。
【００１４】
［第１実施形態］
まず、本発明の第１実施形態に係るスイッチングデバイス内蔵装置としての放送受信装置１００Ａを、図１〜図６を参照して説明する。なお、本第１実施形態においては、車両に搭載されたＡＭラジオ放送等の放送受信装置を例示して説明する。
【００１５】
＜構成＞
図１には、放送受信装置１００Ａの概略的な構成がブロック図にて示されている。この図１に示されるように、放送受信装置１００Ａは、アンテナ１１０と、選局ユニット１２０Pと、第１検出手段の一部としての選局ユニット１２０Aとを備えている。また、放送受信装置１００Ａは、再生処理ユニット１３０と、第１検出手段の一部としてのレベル検出ユニット（ＤＥＴ）１３５とを備えている。
【００１６】
さらに、放送受信装置１００Ａは、スピーカ１４０と、操作入力ユニット１５０と、記憶手段としての記憶ユニット１７０とを備えている。また、放送受信装置１００Ａは、取得手段及び制御手段としての制御ユニット１９０Ａを備えている。
【００１７】
上記のアンテナ１１０は、様々な放送局（基地局）から送信された放送波を受信する。そして、アンテナ１１０による受信結果は、受信信号ＲＦＳとして、選局ユニット１２０P，１２０Aへ送られる。
【００１８】
上記の選局ユニット１２０Pは、放送内容の再生のために利用される。この選局ユニット１２０Pは、制御ユニット１９０Ａから送られた選局指令ＣＳＬPに従って、再生チャンネルの信号を受信信号ＲＦＳから抽出する選局処理を行い、所定の中間周波数を有する信号ＩＦＳPを生成する。こうして生成された信号ＩＦＳPは、再生処理ユニット１３０へ送られる。なお、選局ユニット１２０Pの構成については、後述する。
【００１９】
上記の選局ユニット１２０Aは、各放送チャンネルの放送波の電界強度の検出のために利用される。この選局ユニット１２０Aは、制御ユニット１９０Ａから送られた選局指令ＣＳＬAに従って、選局された放送チャンネルの信号を受信信号ＲＦＳから抽出する選局処理を行い、所定の中間周波数を有する信号ＩＦＳAを生成する。こうして生成された信号ＩＦＳAは、レベル検出ユニット１３５へ送られる。なお、選局ユニット１２０Aの構成については、後述する。
【００２０】
上記の再生処理ユニット１３０は、制御ユニット１９０Ａによる制御のもとで、選局ユニット１２０Pから送られた信号ＩＦＳPを処理して、音声出力信号ＡＯＳを生成する。こうして生成された音声出力信号ＡＯＳは、スピーカ１４０へ送られる。なお、再生処理ユニット１３０の構成については、後述する。
【００２１】
上記のレベル検出ユニット１３５は、選局ユニット１２０Aから送られた信号ＩＦＳAを受ける。そして、レベル検出ユニット１３５は、信号ＩＦＳAの信号レベルを検出する。レベル検出ユニット１３５による検出結果は、検出結果ＤＳＬとして、制御ユニット１９０Ａへ送られる。
【００２２】
上記のスピーカ１４０は、再生処理ユニット１３０から送られた音声出力信号ＡＯＳを受ける。そして、スピーカ１４０は、音声出力信号ＡＯＳに従って音声を再生し、車室内へ出力する。
【００２３】
上記の操作入力ユニット１５０は、放送受信装置１００Ａの本体部に設けられたキー部及び／又はキー部を備えるリモート入力装置等により構成される。ここで、本体部に設けられたキー部としては、不図示の表示ユニットに設けられたタッチパネルを用いることができる。なお、キー部を有する構成に代えて、又は、併用して音声認識技術を利用して音声にて入力する構成を採用することもできる。操作入力ユニット１５０への操作入力結果は、操作入力データＩＰＤとして制御ユニット１９０Ａへ送られる。
【００２４】
上記の位置検出ユニット１６０は、本第１実施形態では、ＧＰＳ（Global Positioning System）受信装置等を備えて構成される。そして、位置検出ユニット１６０は、複数のＧＰＳ衛星から送信された電波の受信結果に基づいて、車両の現在位置（以下、「測位結果」という）を算出する。こうして算出された測位結果は、測位結果ＣＰＴとして、制御ユニット１９０Ａへ送られる。
【００２５】
上記の記憶ユニット１７０には、放送受信装置１００Ａで利用される様々な情報データが記憶される。ここで、記憶ユニット１７０には、受信周波数テーブル１７１が記憶されている。また、記憶ユニット１７０には、制御ユニット１９０Ａがアクセスできるようになっている。なお、受信周波数テーブル１７１の内容については、後述する。
【００２６】
上記の制御ユニット１９０Ａは、放送受信装置１００Ａの全体の動作を制御する。この制御ユニット１９０Ａは、操作入力ユニット１５０に入力された再生チャンネル指定が操作入力データＩＰＤとして通知されると、当該再生チャンネル指定に従って再生チャンネルの選局指令ＣＳＬPを生成する。そして、制御ユニット１９０Ａは、生成された選局指令ＣＳＬPを選局ユニット１２０Pへ送る。
【００２７】
また、制御ユニット１９０Ａは、特定の放送チャンネルの放送波の受信レベルの検出に際して、受信レベルの検出対象となる放送チャンネルを選局するための選局指令ＣＳＬAを生成する。そして、制御ユニット１９０Ａは、生成された選局指令ＣＳＬAを選局ユニット１２０Aへ送る。
【００２８】
また、制御ユニット１９０Ａは、操作入力ユニット１５０に入力された出力音量指定が操作入力データＩＰＤとして通知されると、当該出力音量指定に従って、音量調整指令ＶＬＣを生成する。そして、制御ユニット１９０Ａは、生成された音量調整指令ＶＬＣを再生処理ユニット１３０へ送る。
【００２９】
また、制御ユニット１９０Ａは、位置検出ユニット１６０から送られた測位結果ＣＰＴに基づいて、記憶ユニット１７０内の受信周波数テーブル１７１を参照して、車両の現在位置で受信可能な放送波の周波数情報を取得する。引き続き、制御ユニット１９０Ａは、取得された周波数情報にのみ基づいて、車両の現在位置を含む車両の周辺領域における放送受信に対する妨害を抑制することができるスイッチング周波数の第１次スイッチング周波数決定処理を行う。
【００３０】
この第１次スイッチング周波数決定処理により、適切なスイッチング周波数を決定できなかった場合には、制御ユニット１９０Ａは、選局ユニット１２０Aに対して選局指令ＣＳＬAを送ることにより、レベル検出ユニット１３５に当該受信可能な放送波の受信レベルの検出を行わせる。そして、制御ユニット１９０Ａは、レベル検出ユニット１３５から送られた当該受信可能な放送波の受信レベルを考慮して、当該周辺領域における放送受信に対する妨害を抑制することができるスイッチング周波数の第２次スイッチング周波数決定処理を行う。
【００３１】
こうして、第１次スイッチング周波数決定処理又は第２次スイッチング周波数決定処理により決定されたスイッチング周波数は、指定スイッチング周波数ＡＳＦとして、再生処理ユニット１３０へ送られる。なお、第１次スイッチング周波数決定処理及び第２次スイッチング周波数決定処理の詳細については、後述する。
【００３２】
次に、上記の選局ユニット１２０P及び選局ユニット１２０Aの構成について説明する。これらの選局ユニット１２０k（ｋ＝Ｐ，Ａ）のそれぞれは、図２に示されるように、入力フィルタ１２１と、高周波増幅器（ＲＦ ＡＭＰ：Radio Frequency-Amplifier）１２２と、バンドパスフィルタ（以下、「ＲＦフィルタ」とも呼ぶ）１２３とを備えている。また、選局ユニット１２０kは、ミキサ（混合器）１２４と、中間周波フィルタ（以下、「ＩＦフィルタ」とも呼ぶ）１２５と、局部発振回路（ＯＳＣ）１２６とを備えている。
【００３３】
上記の入力フィルタ１２１は、アンテナ１１０から送られた受信信号ＲＦＳの低周波成分を遮断するハイパスフィルタである。上記の高周波増幅器１２２は、入力フィルタ１２１を通過した信号を増幅する。
【００３４】
上記のＲＦフィルタ１２３は、高周波増幅器１２２から出力された信号のうち、特定の周波数範囲の信号を選択的に通過させる。上記のミキサ１２４は、ＲＦフィルタ１２３を通過した信号と、局部発振回路１２６から供給された局部発振信号とを混合する。上記のＩＦフィルタ１２５は、ミキサ１２４から出力された信号のうち、予め定められた中間周波数範囲の信号を選択して通過させる。
【００３５】
上記の局部発振回路１２６は、電圧制御等により発振周波数の制御が可能な発振器等を備えて構成される。この局部発振回路１２６は、制御ユニット１９０Ａから供給された選局指令ＣＳＬkに従って、選局ユニット１２０kにおいて選局すべきチャンネルに対応する周波数の局部発振信号を生成し、ミキサ１２４へ供給する。
【００３６】
選局ユニット１２０Pの場合には、ＩＦフィルタ１２５を通過した信号ＩＦＳPは、再生処理ユニット１３０へ送られる。また、選局ユニット１２０A場合には、ＩＦフィルタ１２５を通過した信号ＩＦＳＡは、レベル検出ユニット１３５へ送られる。
【００３７】
次いで、上記の再処理ユニット１３０の構成について説明する。この再生処理ユニット１３０は、図３に示されるように、音声検波部１３１と、音量調整部１３２と、スイッチングデバイスとしてのパワー増幅部１３３とを備えている。
【００３８】
上記の音声検波部１３１は、選局ユニット１２０Pから送られた信号ＩＦＳPを受ける。そして、音声検波部１３１は、信号ＩＦＳPに対して、所定方式で検波処理を施して音声検波信号ＤＡＳを生成する。こうして生成された音声検波信号ＤＡＳは、音量調整部１３２へ送られる。
【００３９】
上記の音量調整部１３２は、音声検波部１３１から送られた音声検波信号ＤＡＳを受ける。そして、音量調整部１３２は、制御ユニット１９０Ａから送られた音量調整指令ＶＬＣに従って、音声検波信号ＤＡＳに対して音量調整処理を施して音量調整信号ＶＣＳを生成する。こうして生成された音量調整信号ＶＣＳは、パワー増幅部１３３へ送られる。
【００４０】
上記のパワー増幅部１３３は、音量調整部１３２から送られた音量調整信号ＶＣＳを受ける。そして、パワー増幅部１３３は、音量調整信号ＶＣＳに対してパワー増幅処理を施して、音声出力信号ＡＯＳを生成する。かかる機能を有するパワー増幅部１３３は、スイッチング信号生成部１３６と、Ｄ級アンプ１３７とを備えている。
【００４１】
上記のスイッチング信号生成部１３６は、制御ユニット１９０Ａから送られた指定スイッチング周波数ＡＳＦを受ける。そして、スイッチング信号生成部１３６は、指定スイッチング周波数ＡＳＦに対応する周波数を有するスイッチング信号ＳＷＳを生成する。こうして生成されたスイッチング信号ＳＷＳは、Ｄ級アンプ１３７へ送られる。
【００４２】
上記のＤ級アンプ１３７は、音量調整部１３２から送られた音量調整信号ＶＣＳを受ける。そして、Ｄ級アンプ１３７は、音量調整信号ＶＣＳに対して、いわゆるＤ級増幅処理を施して音声出力信号ＡＯＳを生成する。こうして生成された音声出力信号ＡＯＳは、スピーカ１４０へ送られる。
【００４３】
次に、上記の受信周波数テーブル１７１の内容について説明する。この受信周波数テーブル１７１には、図４に示されるように、予め定められた方式で日本全国を地域分割した個別の地域Ｒ（ｍ，ｎ）（ｍ＝１，２，…、ｎ＝１，２，…）と、当該地域Ｒ（ｍ，ｎ）内で受信可能な放送波の周波数（単に、「受信可能な放送周波数」ともいう）Ｆj（ｍ，ｎ）（ｊ＝１，２，…）とが関連付けて登録されている。
【００４４】
こうした受信周波数テーブル１７１は、放送受信装置１００Ａの製造時に記憶ユニット１７０に記憶させておくようにてもよい。また、不図示の通信ユニットを使用して、各地域内で受信可能な放送周波数の情報を保持しているサーバ装置からダウンロードして、記憶ユニット１７０に記憶させるようにてもよい。
【００４５】
なお、本第１実施形態においては、地域Ｒ（ｍ，ｎ）のそれぞれは、図５に示されるように矩形状となっている。
【００４６】
＜動作＞
次に、上記のように構成された放送受信装置１００Ａの動作について、制御ユニット１９０Ａによるスイッチング周波数の決定処理に主に着目して説明する。
【００４７】
かかるスイッチング周波数の決定処理が開始されると、図６に示されるように、まず、ステップＳ１１において、制御ユニット１９０Ａが、最新に位置検出ユニット１６０から送られた測位結果ＣＰＴに基づいて、車両（ひいては、放送受信装置１００Ａ）の現在位置を特定する。引き続き、ステップＳ１２において、制御ユニット１９０Ａが、特定された現在位置に基づいて記憶ユニット１７０内の受信周波数テーブル１７１を参照し、当該現在位置が含まれる地域、すなわち、車両（ひいては、放送受信装置１００Ａ）が在圏している地域において受信可能な放送周波数を読み取る。
【００４８】
次に、ステップＳ１３において、制御ユニット１９０Ａが、読み取られた放送周波数に基づいて、第１次スイッチング周波数決定処理を行う。かかる第１次スイッチング周波数決定処理に際して、制御ユニット１９０Ａは、受信妨害の抑制の観点から、次の（ｉ）及び（ii）の条件を満たすスイッチング周波数を探す。
（ｉ）スイッチング周波数の自然数倍の周波数を有する輻射のうちで、放送受信装置１００Ａ内で所定レベル以上となるものの周波数（以下、「スイッチング周波数等」と呼ぶ）が、受信可能な放送周波数のそれぞれと、所定周波数間隔以上離すことができること
（ii）上述したスイッチング信号生成部１３６が生成可能なスイッチング信号の周波数であること
【００４９】
ここで、「所定レベル」は、現在位置又はその周辺領域において、放送波の受信妨害が発生すると考えられるとの観点から、実験、シミュレーション、経験等に基づいて、予め定められる。また、「所定周波数間隔」は、本第１実施形態では、受信可能な放送周波数のそれぞれに対応する放送波として利用される周波数帯域幅の２倍の周波数間隔としている。
【００５０】
上述した（ｉ）及び（ii）の条件を満たすスイッチング周波数を探し出せた場合には、当該探し出されたスイッチング周波数を、現時点において採用すべきスイッチング周波数に決定し、ステップＳ１３の処理を終了する。一方（ｉ）及び（ii）の条件を満たすスイッチング周波数を探し出せなかった場合には、現時点において採用すべきスイッチング周波数を決定することなく、ステップＳ１３の処理を終了する。
【００５１】
次いで、ステップＳ１４において、制御ユニット１９０Ａが、ステップＳ１３における第１次スイッチング周波数決定処理により、スイッチング周波数が決定できたか否かを判定する。この判定の結果が肯定的であった場合（ステップＳ１４：Ｙ）には、制御ユニット１９０Ａは、決定されたスイッチング周波数を、指定スイッチング周波数ＡＳＦとして、再生処理ユニット１３０へ送る（図１参照）。そして、処理はステップＳ１５へ進む。
【００５２】
ステップＳ１５では、ステップＳ１１と同様にして、制御ユニット１９０Ａが、現在位置を新たに特定する。引き続き、ステップＳ１６において、制御ユニット１９０Ａが、新たに特定された現在位置及び前回に特定された現在位置に基づいて、放送受信装置１００Ａが在圏する地域が変化したか否かを判定する。この判定の結果が肯定的であった場合（ステップＳ１６：Ｙ）には、処理はステップＳ１２へ戻る。
【００５３】
一方、ステップＳ１６における判定の結果が否定的であった場合（ステップＳ１６：Ｎ）には、処理はステップＳ１５へ戻る。この後、ステップＳ１６における判定の結果が肯定的となるまで、ステップＳ１５，Ｓ１６の処理が繰り返される。
【００５４】
上述したステップＳ１４における判定の結果が否定的であった場合（ステップＳ１４：Ｎ）には、処理はステップＳ１７へ進む。このステップＳ１７では、制御ユニット１９０Ａの制御のもとで、受信可能な放送周波数のそれぞれに対応する放送波の現在位置における電界強度が検出される。
【００５５】
かかる電界強度の検出に際しては、制御ユニット１９０Ａが、受信可能な放送周波数を指定した選局指令ＣＳＬAを生成し、順次、選局ユニット１２０Aへ送る。この結果、選局ユニット１２０Aにより、当該受信可能な放送周波数の放送波に対応する中間周波数の信号ＩＦＳAを生成され、生成された信号ＩＦＳAがレベル検出ユニット１３５へ送られる（図１参照）。
【００５６】
信号ＩＦＳAを受けたレベル検出ユニット１３５は、信号ＩＦＳAのレベルを検出する。そして、レベル検出ユニット１３５による検出結果は、検出結果ＤＳＬとして、制御ユニット１９０Ａへ送られる（図１参照）。
【００５７】
こうしてレベル検出ユニット１３５から送られた検出結果ＤＳＬを、制御ユニット１９０Ａが収集する。この結果、制御ユニット１９０Ａにより、受信可能な放送周波数のそれぞれに対応する放送波の現在位置における電界強度が収集される。
【００５８】
次に、ステップＳ１８において、制御ユニット１９０Ａが、先に読み取られた放送周波数、及び、収集された電界強度に基づいて、第２次スイッチング周波数決定処理を行う。かかる第２次スイッチング周波数決定処理に際して、制御ユニット１９０Ａは、受信妨害の抑制の観点から、次の（iii）〜（ｖ）の条件を考慮して、スイッチング周波数を探す。
（iii）所定周波数間隔以上離すことができない放送周波数については、電界強度の検出値が低かった放送波に対応する放送周波数ほど、その放送周波数と、スイッチング周波数等との周波数間隔を広くすること
（iv）所定周波数間隔以上離すことができない放送周波数については、電界強度の検出値が低かった放送波に対応する放送周波数ほど、レベルが低い輻射成分を、当該放送周波数と所定周波数間隔以下となってしまう成分とすること
（ｖ）上述したスイッチング信号生成部１３６が生成可能なスイッチング信号の周波数であること
【００５９】
上述した（iii）〜（ｖ）の条件を考慮した上で探し出されたスイッチング周波数を、制御ユニット１９０Ａは、現時点において採用すべきスイッチング周波数に決定する。そして、制御ユニット１９０Ａは、決定されたスイッチング周波数を、指定スイッチング周波数ＡＳＦとして、再生処理ユニット１３０へ送る（図１参照）。
【００６０】
次いで、ステップＳ１９において、ステップＳ１１，Ｓ１５と同様にして、制御ユニット１９０Ａが、現在位置を新たに特定する。引き続き、ステップＳ２０において、制御ユニット１９０Ａが、新たに特定された現在位置及び前回に特定された現在位置に基づいて、放送受信装置１００Ａが在圏する地域が変化したか否かを判定する。この判定の結果が肯定的であった場合（ステップＳ２０：Ｙ）には、処理はステップＳ１２へ戻る。
【００６１】
一方、ステップＳ２０における判定の結果が否定的であった場合（ステップＳ２０：Ｎ）には、処理はステップＳ２１へ進む。このステップＳ２１では、制御ユニット１９０Ａが、最新に特定された現在位置と、前回のスイッチング周波数の決定時に特定された現在位置との距離を算出し、前回のスイッチング周波数の決定時から所定距離以上を移動したか否かを判定する。
【００６２】
なお、「所定距離」は、受信可能な放送周波数に対応する放送波の電界強度が、スイッチング周波数の決定で考慮した上述の（iii）及び（iv）の条件に関して、再度考慮し直す必要が生じ得るとの観点から、実験、シミュレーション、経験等に基づいて、予め定められる。
【００６３】
上述のステップＳ２１における判定の結果が否定的であった場合（ステップＳ２１：Ｎ）には、スイッチング周波数の変更が必要ないと判断し、処理はステップＳ１９へ戻る。そして、ステップＳ２０における判定の結果が肯定的とならない限り、ステップＳ２１における判定の結果が肯定的となるまで、ステップＳ１９〜Ｓ２１の処理が繰り返される。
【００６４】
上述のステップＳ２１における判定の結果が肯定的となると（ステップＳ２１：Ｙ）、スイッチング周波数の変更は必要である可能性があるとして、処理はステップＳ１７に戻る。以後、ステップＳ２０における判定の結果が肯定的となるまで、ステップＳ１７〜Ｓ２１の処理が繰り返される。
【００６５】
以上のようにして、パワー増幅部１３３におけるスイッチング信号発生部１３６（図３参照）が生成するスイッチング信号ＳＷＳの周波数（スイッチング周波数）が決定され、決定されたスイッチング周波数のスイッチング信号ＳＷＳに従ったＤ級増幅がＤ級アンプ１３７により実行される。かかるパワー増幅部１３３の動作が実行されている状態で、操作入力ユニット１５０に入力された再生チャンネル指定が操作入力データＩＰＤとして通知されると、制御ユニット１９０Ａが、当該再生チャンネル指定に従って再生チャンネルの選局指令ＣＳＬPを生成する。そして、制御ユニット１９０Ａは、生成された選局指令ＣＳＬPを選局ユニット１２０Pへ送る。
【００６６】
この結果、選局ユニット１２０Pにおいて、再生指定された放送チャンネルが選局され、当該選局された放送チャンネルの放送波に対応する中間周波数の信号ＩＦＳPが、再生処理ユニット１３０へ送られる（図１参照）。信号ＩＦＳPは、再生処理ユニット１３０において、音声検波部１３１による検波処理、音量調整部１３２による音量調整処理、及び、パワー増幅部１３３によるパワー増幅処理が順次施された後、音声出力信号ＡＯＳとして、スピーカ１４０へ送られる。この結果、当該選局された放送チャンネルを介して放送された音声が、スピーカ１４０から、車室内に再生出力される。
【００６７】
以上説明したように、本第１実施形態では、スイッチング信号ＳＷＳに従って動作するＤ級アンプ１３７を備える放送受信装置１００Ａにおいて、制御ユニット１９０Ａが、位置検出ユニット１６０から送られた測位結果ＣＰＴに基づいて、車両（ひいては、放送受信装置１００Ａ）の現在位置を特定する。引き続き、制御ユニット１９０Ａが、特定された現在位置に基づいて記憶ユニット１７０内の受信周波数テーブル１７１を参照し、当該現在位置が含まれる地域、すなわち、放送受信装置１００Ａが在圏している地域において受信可能な放送周波数を読み取る。そして、制御ユニット１９０Ａが、読み取られた放送周波数に基づいて、当該受信可能な放送周波数に対応する放送波の受信における受信妨害を抑制できるスイッチング周波数を決定する。
【００６８】
したがって、放送受信装置１００Ａによる放送受信に加えて、放送受信装置１００Ａの周辺領域における他の放送受信装置による放送受信に際して、受信妨害を抑制することができる。
【００６９】
また、本第１実施形態では、受信可能な放送周波数からでは、受信妨害を有効に抑制することができる適切なスイッチング周波数を決定できない場合には、受信可能な放送周波数のそれぞれに対応する放送波の電界強度を検出する。そして、検出された電界強度を更に考慮して、当該受信可能な放送周波数に対応する放送波の受信における受信妨害を抑制できる適切なスイッチング周波数を決定する。このため、放送受信装置１００Ａによる放送受信に加えて、放送受信装置１００Ａの周辺領域における他の放送受信装置による放送受信に際して、受信妨害を有効に抑制することができる。
【００７０】
［第２実施形態］
次に、本発明の第２実施形態に係るスイッチングデバイス内蔵装置としての放送受信装置１００Ｂを、図７及び図８を主に参照して説明する。なお、本第２実施形態においても、上述した第１実施形態と同様に、車両に搭載されたＡＭラジオ放送等の放送受信装置を例示して説明する。
【００７１】
＜構成＞
図７には、放送受信装置１００Ｂの概略的な構成がブロック図にて示されている。この図７に示されるように、放送受信装置１００Ｂは、上述した放送受信装置１００Ａと比べて、記憶部１７０に代えて、取得手段としての通信ユニット１８０を備える点、及び、制御ユニット１９０Ａに代えて、制御手段としての制御ユニット１９０Ｂを備える点が異なっている。以下、これらの相違点に主に着目して、説明する。
【００７２】
本第２実施形態では、選局ユニット１２０Aとレベル検出ユニット１３５により、第２検出手段が構成されるようになっている。
【００７３】
上記の通信ユニット１８０は、放送受信装置１００Ｂの周辺領域で放送受信している他の放送受信装置のそれぞれから送信された受信放送周波数及び現在位置を受信する。そして、通信ユニット１８０は、受信した受信放送周波数及び現在位置を、受信状況情報ＰＲＩとして、制御ユニット１９０Ｂへ送る。
【００７４】
上記の制御ユニット１９０Ｂは、通信ユニット１８０から送られた受信状況情報ＰＲＩを、上述した受信周波数テーブル１７１から読み取られた受信可能な放送周波数に代えて用い、スイッチング周波数を決定する。かかる決定のための動作を除いては、制御ユニット１９０Ｂは、上述した制御ユニット１９０Ａと同様に動作する。
【００７５】
なお、制御ユニット１９０Ｂによるスイッチング周波数を決定処理については、後述する。
【００７６】
＜動作＞
次に、上記のように構成された放送受信装置１００Ｂの動作について、制御ユニット１９０Ｂによるスイッチング周波数の決定処理に主に着目して説明する。
【００７７】
スイッチング周波数の決定処理が開始されると、図８に示されるように、まず、ステップＳ３１において、制御ユニット１９０Ｂが、最新に位置検出ユニット１６０から送られた測位結果ＣＰＴに基づいて、車両（ひいては、放送受信装置１００Ｂ）の現在位置を特定する。この後、制御ユニット１９０Ｂが、通信ユニット１８０から送られた受信状況情報ＰＲＩ及び放送受信装置１００Ｂの現在位置に基づいて周辺受信状況を特定し、周辺受信状況情報を作成する。
【００７８】
かかる周辺受信状況情報の作成に際して、制御ユニット１９０Ｂは、まず、放送受信装置１００Ｂの現在位置と、受信状況情報ＰＲＩに含まれる他の放送受信装置の現在位置とに基づいて、放送受信装置１００Ｂとの距離が所定距離以下の他の放送受信装置を抽出する。なお、「所定距離」は、スイッチング信号ＳＷＳに起因する受信妨害が発生する可能性があるか否かを判断するとの観点から、実験、シミュレーション、経験等に基づいて、予め定められる。
【００７９】
引き続き、制御ユニット１９０Ｂは、放送受信装置１００Ｂが放送受信中の場合には、抽出された他の放送受信装置の受信中の放送周波数及び現在位置に、放送受信装置１００Ｂが放送受信中の放送の放送周波数及び放送受信装置１００Ｂの現在位置を加えたものを、周辺受信状況情報とする。一方、制御ユニット１９０Ｂは、放送受信装置１００Ｂが放送受信中ではない場合には、抽出された他の放送受信装置の受信中の放送周波数及び現在位置を周辺受信状況情報とする。
【００８０】
次に、ステップＳ３２において、制御ユニット１９０Ｂが、生成された周辺受信状況情報に含まれる受信中の放送周波数に基づいて、第１’次スイッチング周波数決定処理を行う。かかる第１’次スイッチング周波数決定処理に際して、制御ユニット１９０Ｂは、受信妨害の抑制の観点から、次の（ｉ）及び（ii）の条件を満たすスイッチング周波数を探す。
（ｉ）スイッチング周波数等が、受信中の放送周波数のそれぞれと、所定周波数間隔以上離すことができること
（ii）上述したスイッチング信号生成部１３６が生成可能なスイッチング信号の周波数であること
【００８１】
上述した（ｉ）及び（ii）の条件を満たすスイッチング周波数を探し出せた場合には、当該探し出されたスイッチング周波数を、現時点において採用すべきスイッチング周波数に決定し、ステップＳ３２の処理を終了する。一方（ｉ）及び（ii）の条件を満たすスイッチング周波数を探し出せなかった場合には、現時点において採用すべきスイッチング周波数を決定することなく、ステップＳ３２の処理を終了する。
【００８２】
次いで、ステップＳ３３において、制御ユニット１９０Ｂが、ステップＳ３２における第１’次スイッチング周波数決定処理により、スイッチング周波数が決定できたか否かを判定する。この判定の結果が肯定的であった場合（ステップＳ３３：Ｙ）には、制御ユニット１９０Ｂは、決定されたスイッチング周波数を、指定スイッチング周波数ＡＳＦとして、再生処理ユニット１３０へ送る（図７参照）。そして、処理は、後述するステップＳ３６へ進む。
【００８３】
一方、ステップＳ３３における判定の結果が否定的であった場合（ステップＳ３３：Ｎ）には、処理はステップＳ３４へ進む。このステップＳ３４では、制御ユニット１９０Ｂの制御のもとで、受信中の放送周波数のそれぞれに対応する放送波の現在位置における電界強度が検出される。
【００８４】
かかる電界強度の検出に際しては、制御ユニット１９０Ｂが、受信中の放送周波数を指定した選局指令ＣＳＬAを生成し、順次、選局ユニット１２０Aへ送る。この結果、選局ユニット１２０Aにより、当該受信可能な放送周波数の放送波に対応する中間周波数の信号ＩＦＳAを生成され、生成された信号ＩＦＳAがレベル検出ユニット１３５へ送られる（図７参照）。
【００８５】
信号ＩＦＳAを受けたレベル検出ユニット１３５は、信号ＩＦＳAのレベルを検出する。そして、レベル検出ユニット１３５は、検出結果ＤＳＬを制御ユニット１９０Ｂへ送る（図７参照）。
【００８６】
こうしてレベル検出ユニット１３５から送られた検出結果ＤＳＬを、制御ユニット１９０Ｂが収集する。この結果、制御ユニット１９０Ｂにより、受信中の放送周波数のそれぞれに対応する放送波の現在位置における電界強度が収集される。
【００８７】
次に、ステップＳ３５において、制御ユニット１９０Ｂが、先に作成された周辺受信状況情報、及び、収集された電界強度に基づいて、第２’次スイッチング周波数決定処理を行う。かかる第２’スイッチング周波数決定処理に際して、制御ユニット１９０Ｂは、受信妨害の抑制の観点から、次の（iii）〜（ｖ）の条件を考慮して、スイッチング周波数を探す。
（iii）所定周波数間隔以上離すことができない放送周波数については、電界強度の検出値が低かった放送波に対応する放送周波数ほど、その放送周波数と、スイッチング周波数等との周波数間隔を広くすること
（iv）所定周波数間隔以上離すことができない放送周波数については、電界強度の検出値が低かった放送波に対応する放送周波数ほど、当該放送周波数を受信している放送受信装置の現在位置におけるレベルが低い輻射成分を、当該放送周波数と所定周波数間隔以下となってしまう成分とすること（ここで、「放送周波数を受信している放送受信装置の現在位置における輻射成分のレベル」は、放送受信装置１００Ｂとの距離を勘案して予測される）
（ｖ）上述したスイッチング信号生成部１３６が生成可能なスイッチング信号の周波数であること
【００８８】
上述した（iii）〜（ｖ）の条件を考慮した上で探し出されたスイッチング周波数を、制御ユニット１９０Ｂは、現時点において採用すべきスイッチング周波数に決定する。そして、制御ユニット１９０Ｂは、決定されたスイッチング周波数を、指定スイッチング周波数ＡＳＦとして、再生処理ユニット１３０へ送る（図７参照）。
【００８９】
次いで、ステップＳ３６において、ステップＳ３１と同様にして、制御ユニット１９０Ｂが、新たな周辺受信状況情報を作成する。そして、処理はステップＳ３７へ進む。
【００９０】
ステップＳ３７において、周辺受信状況が、前回のスイッチング周波数の決定時と比べて、スイッチング周波数を新たに決定すべきほど変化したか否かを、制御ユニット１９０Ｂが判定する。例えば、周辺受信状況における受信中周波数が、前回のスイッチング周波数の決定時から変化した場合には、制御ユニット１９０Ｂは、スイッチング周波数を新たに決定すべきと判定する。また、放送受信装置１９０Ｂと、周辺受信状況における他の放送受信装置との距離関係が、予め定められた基準を超えて変化した場合には、制御ユニット１９０Ｂは、スイッチング周波数を新たに決定すべきと判定する。
【００９１】
なお、「予め定められた基準」は、実験、シミュレーション、経験等に基づいて、予め定められる。
【００９２】
ステップＳ３７における判定の結果が否定的であった場合（ステップＳ３７：Ｎ）には、処理はステップＳ３６へ戻る。そして、ステップＳ３７における判定の結果が肯定的となるまで、ステップＳ３６，Ｓ３７の処理が繰り返される。
【００９３】
ステップＳ３７における判定の結果が肯定的となると（ステップＳ３７：Ｙ）、処理は、ステップＳ３２へ戻る。この後、ステップＳ３２〜Ｓ３７の処理が繰り返される。
【００９４】
以上のようにして、パワー増幅部１３３におけるスイッチング信号発生部１３６（図３参照）が生成するスイッチング信号ＳＷＳの周波数（スイッチング周波数）が決定され、決定されたスイッチング周波数のスイッチング信号ＳＷＳに従ったＤ級増幅がＤ級アンプ１３７により実行される。かかるパワー増幅部１３３の動作が実行されている状態で、操作入力ユニット１５０に入力された再生チャンネル指定が操作入力データＩＰＤとして通知されると、上述した第１実施形態の場合と同様に、制御ユニット１９０Ｂが、当該再生チャンネル指定に従って再生チャンネルの選局指令ＣＳＬPを生成する。そして、制御ユニット１９０Ｂは、生成された選局指令ＣＳＬPを選局ユニット１２０Pへ送る。
【００９５】
この結果、選局ユニット１２０Pにおいて、再生指定された放送チャンネルが選局され、当該選局された放送チャンネルの放送波に対応する中間周波数の信号ＩＦＳPが、再生処理ユニット１３０へ送られる（図７参照）。信号ＩＦＳPは、再生処理ユニット１３０において、音声検波部１３１による検波処理、音量調整部１３２による音量調整処理、及び、パワー増幅部１３３によるパワー増幅処理が順次施された後、音声出力信号ＡＯＳとして、スピーカ１４０へ送られる（図３参照）。この結果、当該選局された放送チャンネルを介して放送された音声が、スピーカ１４０から、車室内に再生出力される。
【００９６】
以上説明したように、本第２実施形態では、スイッチング信号ＳＷＳに従って動作するＤ級アンプ１３７を備える放送受信装置１００Ｂにおいて、制御ユニット１９０Ｂが、放送受信装置１００Ｂ、又は、放送受信装置１００Ｂの周辺領域で放送受信している他の放送受信装置の放送受信の状況を示す周辺受信状況情報を作成する。ここで、周辺受信状況情報は、位置検出ユニット１６０から送られた測位結果ＣＰＴに基づいて特定された放送受信装置１００Ｂの現在位置、及び、放送受信装置１００Ｂにおける放送受信状況、並びに、通信ユニット１８０から送られた受信状況情報ＰＲＩ（放送受信装置１００Ｂの周辺領域で放送受信している他の放送受信装置のそれぞれから送信された受信放送周波数及び現在位置）に基づいて作成される。そして、制御ユニット１９０Ｂが、作成された周辺受信状況情報に基づいて、受信中の放送周波数に対応する放送波の受信における受信妨害を抑制できるスイッチング周波数を決定する。
【００９７】
したがって、放送受信装置１００Ｂによる放送受信に加えて、放送受信装置１００Ｂの周辺領域における他の放送受信装置による放送受信に際して、受信妨害を抑制することができる。
【００９８】
また、本第２実施形態では、受信中の放送周波数からでは、受信妨害を有効に抑制することができる適切なスイッチング周波数を決定できない場合には、受信中の放送周波数のそれぞれに対応する放送波の電界強度を検出する。そして、検出された電界強度を更に考慮して、当該受信中の放送周波数に対応する放送波の受信における受信妨害を抑制できる適切なスイッチング周波数を決定する。このため、放送受信装置１００Ｂによる放送受信に加えて、放送受信装置１００Ｂの周辺領域における他の放送受信装置による放送受信に際して、受信妨害を有効に抑制することができる。
【００９９】
［実施形態の変形］
本発明は、上記の第１及び第２実施形態に限定されるものではなく、様々な変形が可能である。
【０１００】
例えば、上記の第１及び第２実施形態では、スイッチングデバイスとしてＤ級アンプを備えるようにしたが、スイッチング電源等の他のスイッチングデバイスを備える場合、又は、更に備える場合にも、本発明を適用することができる。
【０１０１】
また、上記の第１及び第２実施形態では、車両に搭載される放送受信装置について本発明を適用したが、家屋内等の固定的な位置に配設される放送受信装置についても、本発明を適用することができる。
【０１０２】
また、上記の第１及び第２実施形態では、受信すべき放送としてＡＭラジオ放送を例示したが、他の種類の放送についても、本発明を適用することができる。
【０１０３】
また、上記の第２実施形態では、他の放送受信装置の受信放送周波数及び現在位置を取得するようにしたが、近距離通信により受信状況情報を取得する場合には、他の放送受信装置の受信放送周波数のみを取得するようにしてもよい。
【０１０４】
また、上記の第１実施形態における第２次スイッチング周波数決定処理で、予め定められた適切度に達することができるスイッチング周波数を決定できなかったときに、上記の第２実施形態における第１’スイッチング周波数決定処理、及び、必要に応じて第２’スイッチング周波数決定処理を順次行うようにしてもよい。
【０１０５】
また、上記の第１及び第２実施形態におけるスイッチング信号生成部は、連続的にスイッチング周波数を変化できるものであってもよいし、非連続的に複数のスイッチング周波数を変化させることができるものであってもよい。
【０１０６】
なお、上記の第１及び第２実施形態における制御ユニットを中央処理装置（ＣＰＵ：Central Processing Unit）、読出専用メモリ（ＲＯＭ：Read Only Memory）、ランダムアクセスメモリ（ＲＡＭ：Random Access Memory）等を備えた演算手段としてのコンピュータとして構成し、予め用意されたプログラムを当該コンピュータで実行することにより、上記の実施形態における処理の一部又は全部を実行するようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【符号の説明】
【０１０７】
１００Ａ，１００Ｂ  …  放送受信装置（スイッチングデバイス内蔵装置）
１２０A             …  選局ユニット（第１及び第２検出手段の一部）
１２５              …  レベル検出ユニット（第１及び第２検出手段の一部）
１３３              …  パワー増幅部（スイッチングデバイス）
１７０              …  記憶ユニット（記憶手段）
１８０              …  通信ユニット（取得手段）
１９０Ａ            …  制御ユニット（取得手段、制御手段）
１９０Ｂ            …  制御ユニット（制御手段）
【図１】
2012095169.tif 000003
【図２】
2012095169.tif 000004
【図３】
2012095169.tif 000005
【図４】
2012095169.tif 000006
【図５】
2012095169.tif 000007
【図６】
2012095169.tif 000008
【図７】
2012095169.tif 000009
【図８】
2012095169.tif 000010